(57)【要約】【課題】構造が簡単で製造しやすく、安上がりで使用の際、容易にダンボール箱に着装、取り外すことの出来るダンボール箱の持ち運びハンドルを提供すること。また、一般の紙箱でも本考案の手つかみ用ハンドルを取り付けられ、運搬の爽快性と便利性のよい紙箱の持ち運びハンドルを提供すること。【解決手段】ダンボール箱持ち運びハンドルが、第一基板、第二基板、一組の板状凸縁部と連結部及び一つの環状結合構成部とからなり、当該一組の板状凸縁部は第一基板の底部及び第二基板の底部より外側に突き出して伸びており、連結部はその第一基板と第二基板の内側にあって、第一基板と第二基板を連結し、第一基板と第二基板を折り曲げ出来るようになっていて、第二基板の頂点に設けてある環状結合構成部を第一基板の上まで延ばして構成されること。【選択図】図２
0003126654.tif 000002
【実用新案登録請求の範囲】
【請求項１】
第一基板、第二基板、一組の板状凸縁部と連結部及び一つの環状結合構成部とからなり、当該一組の板状凸縁部は第一基板の底部及び第二基板の底部より外側に突き出して伸びており、連結部はその第一基板と第二基板の内側にあって、第一基板と第二基板を連結し、第一基板と第二基板を折り曲げ出来るようになっていて、第二基板の頂点に設けてある環状結合構成部を第一基板の上まで延ばして構成されることを特徴とするダンボール箱持ち運びハンドル。
【請求項２】
前記第一基板、第二基板、板状凸縁部、連結部及び環状結合構成部はポリマー樹脂の押し出し射出機にて一次成型されることを特徴とする請求項１記載のダンボール箱持ち運びハンドル。
【請求項３】
前記ポリマー樹脂は、ポリアクリル樹脂、ポリエチレン樹脂又はポリアクリレート組成物であることを特徴とする請求項2記載のダンボール箱持ち運びハンドル。
【請求項４】
前記第一基板と第二基板の形状は距形であることを特徴とする請求項１記載のダンボール箱持ち運びハンドル。
【請求項５】
前記環状結合構成部には少なくとも一つのクリップ部を設けて第二基板の頂点に強くクリップ出来ることを特徴とする請求項１記載のダンボール箱持ち運びハンドル。
【請求項６】
前記連結部はくくる部があり第一基板の底部と第二基板の底部を繋ぎ、その第一基板と第二基板を折り曲げることが出来ることを特徴とする請求項１記載のダンボール箱持ち運びハンドル。
【考案の詳細な説明】
【技術分野】
【０００１】
本考案は包装紙箱の持ち運びハンドルであって、さらに詳しくは中型あるいは大型の家庭用電気製品テレビ受像機、電算機、モニター等に使われているダンボール箱の持ち運びハンドルに関するものである。
【背景技術】
【０００２】
往来、物の持ち運びに使われている紙箱は携帯に便利なように、その箱上蓋に手持ち部を設け、やや大型の箱となるとその箱の相向かった板壁の約２/３高のところに手指でつかむことの出来る大きさの孔を開き持ち運んでいた。だが手指でつかむその孔は普通機械的な刃物で栽切したもので、かつそれらの板紙は（今一般的に使われているダンボール箱の紙板は約3mm~5mm程度）薄いため、包装されている内容物が重い物体のときは紙箱の手つかみ用の孔の周りは補強用のものがいない限り容易に破裂するものであり、又運ぶ人の手指を傷付けするものであった。
【０００３】
上記の欠点を解決する為、台湾特許第295084号は図1に示したような紙箱の持ち運びハンドルを提案している。だがこの提案は紙箱の持ち運び用孔の破れ裂けは避けても、着装後取り外しが非常に困難で、尚、着装の時一定の方向でしなければならず、又そのハンドル自体の構造が複雑で製造も簡単でなく、使用者の不便性が多いものであった。
【考案の開示】
【考案が解決しようとする課題】
【０００４】
そこで、本考案は前記に鑑み、その第一の目的は構造が簡単で製造しやすく、安上がりで使用の際、容易にダンボール箱に着装、取り外すことの出来るダンボール箱の持ち運びハンドルを提供するにある。
本考案の第二の目的は一般の紙箱でも本考案の手つかみ用ハンドルを取り付けられ、運搬の爽快性と便利性のよい紙箱の持ち運びハンドルを提供することである。
【課題を解決するための手段】
【０００５】
上記目的を達成するため、本考案のダンボール箱の持ち運びハンドルは、第一基板、第二基板、一組の板状凸縁部と連結部及び一つの環状結合構成部とからなり、当該ダンボール箱の持ち運びハンドルの相向った一組の板状凸縁部は第一基板の底部及び第二基板の底部より外側に突き出し伸びており、連結部は第一基板と第二基板の内側に設けられていて、その第一基板と第二基板を連結し第一基板と第二基板を折り曲げ出来る様になっている。
上記環状結合構成部は第二基板の頂点に設けてあり、第一基板の上まで延びている。然るに第一基板と第二基板が移動してやや平行状態に達したとき、その環状結合構成部は第一基板の頂点にもたり合わせられることからなる、又このダンボール箱の持ち運びハンドルは熱可塑性ポリマー樹脂押出射出機から一次射出成型して作られる。
【考案の効果】
【０００６】
本考案は上記記載の構成により、構造が簡単で又容易に熱可塑性樹脂押し出し機にて一次成型して作られ、使用時はそのダンボール箱の持ち運びに使われる板紙の手つかみ孔を壊すことなく、容易にハンドルを着装又は取り外して再使用することが出来、又持ち運ぶ運搬者の手指を傷づけることもない快適で便利のよい効果をもたらすものである。
【考案を実施するための最良の形態】
【０００７】
以下、本考案のダンボール箱の持ち運びハンドルの構造、製造及び特徴を図面に基づいて説明する。
図２は本考案のダンボール箱持ち運びハンドル（10）の立体図である、即ち本考案は第一基板（20）、第二基板（21）、一組の板状凸縁部（30）と連結部（40）及び一つの環状結合構成部（50）からなり、板状凸縁部（30）は相対的に各々第一基板（20）の底と第二基板（21）の底から外に向って突き出しており、連結部（40）は第一基板と第二基板の内側にあって第一基板（20）と第二基板（21）を連結し第一基板と第二基板とを折り曲げ出来る状態にしてある。この連結部（40）は図４に示したような、更にくくる部（41）があり第一基板（20）の底と第二基板の底を繋ぎ、その第一基板（20）と第二基板（21）を相互自由に折り曲げすることが出来る。
【０００８】
図5、図6は本考案のダンボール箱持ち運びハンドル（10）をダンボール箱（12）の板紙の手つかみ孔（11）内に挿し入れる着装態様図で、図7は着装済みの設置図である。図5，6で示したように本考案のハンドルの環状結合構成部（50）は第二基板の上に設けてあり、使用者が既にダンボール箱（12）に取り付けているダンボール箱持ち運びハンドル（10）を手指でその環状結合構成部（50）を軽く引けば容易に本考案のダンボール箱持ち運びハンドル（10）を箱から取り外すことが出来る。尚この環状結合構成部（50）は少なくとも一つのクリップ部（51）を設け、環状結合構成部（50）を更に一層強く第一基板(20)の頂点にクリップし、ダンボール箱の持ち運びハンドル(10)を密接にダンボール箱（12）の板紙に接着せしめる。
【０００９】
前記第一基板（20）と第二基板（21）の形は距形で、必要に応じては別の形でもよく、材質として弾性のよい曲げ折りの出来るポリマー樹脂から選ばれ押し出し射出機にて一次成型して得られるものであるのが好ましい。
【００１０】
これらのポリマー樹脂は、例えばポリアクリル樹脂、或いはポリエチレン樹脂又はポリアクリレート組成物であり、本考案のハンドルに使われる樹脂は上記の樹脂以外の樹脂でもよい。
【００１１】
図5から図7で明らかなように本考案のダンボール箱持ち運びハンドル（10）の第一基板（20）と第二基板（21）を折り曲げて、図6で示したように、ダンボール箱板紙（12）の手つかみ孔（11）内に挿し入れ、第一基板（20）と第二基板（21）の凸縁部（30）の縁部までに止めた時、環状結合構成部（50）を第一基板（20）へ押すと同時にその第一基板（20）の板状凸縁部（30）と第二基板（21）の板状凸縁部（30）は一緒に紙箱の手つかみ孔（11）内に滑り込み、環状結合構成部（50）のクリップ部（51）は第一基板（20）の頂部にクリップされハンドル（10）は板紙（12）の手つかみ孔（11）内に固定される。
【００１２】
本考案のダンボール箱持ち運びハンドルを外すときは僅かに環状結合構成部（50）を軽く引き動かせばクリップ部（51）は第一基板（20）から離れ、第一基板（20）と第二基板とを同時にたたみ、曲げられ、板紙（12）の手つかみ孔（11）から脱出し、再び使われる便利性がある。
【図面の簡単な説明】
【００１３】
【図１】公知ダンボール箱持ち運びハンドルの立体図である。
【図２】本考案のダンボール箱持ち運びハンドルの立体図である。
【図３】本考案のダンボール箱持ち運びハンドルの平面図である。
【図４】本考案のダンボール箱持ち運びハンドルの側面図である。
【図５】本考案のダンボール箱持ち運びハンドルを板紙の手つかみ孔に着装する状態図である。
【図６】本考案のダンボール箱持ち運びハンドルを板紙の手つかみ孔に着装する状態図である。
【図７】本考案のダンボール箱持ち運びハンドルを板紙の手つかみ孔に着装する状態図である。
【符号の説明】
【００１４】
１０  ダンボール箱持ち運びハンドル
１１  手つかみ用孔
１２  ダンボール箱の板紙
２０  第一基板
２１  第二基板
３０  板状凸縁部
４０  連結部
４１  くくる部
５０  環状結合構成部
５１  クリップ部
【図１】
0003126654.tif 000003
【図２】
0003126654.tif 000004
【図３】
0003126654.tif 000005
【図４】
0003126654.tif 000006
【図５】
0003126654.tif 000007
【図６】
0003126654.tif 000008
【図７】
0003126654.tif 000009